(57)【要約】【課題】レンズ鏡筒の外径を大型化することなく、また、重量の増加をせずに、光学設計の自由度を維持しながら、多機種間でリジット多層基板の共通化をすることができ、コストの低減ができるレンズ鏡筒を提供する。【解決手段】撮影光学系を有するレンズ鏡筒において、リジット多層基板をリジット多層基板６，７，８に分割し、フレキシブルプリント基板１３との接続ユニットであるＣ１を、固定筒３の外壁３ｂと外筒２の内壁２ａの間に光軸Ｏと平行に、また光軸Ｏを中心とした円周方向に配置し、リジット多層基板６を、絶縁部材９、ウェーブワッシャ１０、及び、ビス１１を用いて固定筒３の外壁３ｂに固定する。同様にして、リジット多層基板７，８もリジット多層基板６と異なる角度位置に固定する。【選択図】図２
2006071953.tif 000002
【特許請求の範囲】
【請求項１】
撮影光学系の光束の外側で鏡筒部材に固定され、機能ごとに分割された複数のリジット基板と、
前記複数のリジット基板に設けられ、前記複数のリジット基板の間を電気的に接続する接続部と、
前記複数のリジット基板のうち少なくとも２つのリジット基板を前記接続部を用いて接続するフレキシブルプリント基板と、
を備えるレンズ鏡筒。
【請求項２】
請求項１に記載のレンズ鏡筒において、
前記複数のリジット基板は、四角形であること、
を特徴とするレンズ鏡筒。
【請求項３】
請求項１又は請求項２に記載のレンズ鏡筒において、
前記複数のリジット基板の接続部は、いずれも同一形状のコネクタであること、
を特徴とするレンズ鏡筒。
【請求項４】
請求項１から請求項３までのいずれか１項に記載のレンズ鏡筒において、
前記複数のリジット基板は、面積の大きい面が光軸と平行に配置されていること、
を特徴とするレンズ鏡筒。
【請求項５】
請求項１から請求項３までのいずれか１項に記載のレンズ鏡筒において、
前記複数のリジット基板は、面積の大きい面が光軸と垂直に配置されていること、
を特徴とするレンズ鏡筒。
【請求項６】
請求項５に記載のレンズ鏡筒において、
前記フレキシブルプリント基板は、光軸側を内側とする曲線部を有し、前記接続部の間を結んだ形状であること、
を特徴とするレンズ鏡筒。
【請求項７】
請求項４に記載のレンズ鏡筒において、
前記複数のリジット基板は、フレキシブルプリント基板を介して一列に接続され、光軸を中心とした円周方向に配置されていること、
を特徴とするレンズ鏡筒。
【請求項８】
請求項５又は請求項６に記載のレンズ鏡筒において、
前記複数のリジット基板は、光軸と垂直な一平面上に配置されていること、
を特徴とするレンズ鏡筒。
【発明の詳細な説明】
【技術分野】
【０００１】
本発明は、リジット基板を備えたレンズ鏡筒に関するものである。
【背景技術】
【０００２】
図９は、従来の撮影光学系を備えたレンズ鏡筒を示す縦断面図である。
図１０は、図９のＺ−Ｚ部矢視断面を示す模式図である。
従来のレンズ鏡筒は、固定筒１０３と、この固定筒１０３の外側に設けられ、レンズ鏡筒の最外郭部である外筒１０２とを備えている。また、レンズ鏡筒は、その内部に、レンズ群Ｌ７〜Ｌ９、モータユニット１０４、リジット多層基板１００等を備えている。
【０００３】
固定筒１０３は、円筒形をしており、その内側にレンズ群Ｌ７〜Ｌ９とフォーカス用摺動筒１０５とを備えている。レンズ群Ｌ７，Ｌ９は、固定筒１０３に固定されている。レンズ群Ｌ８は、フォーカス用摺動筒１０５に固定され、このフォーカス用摺動筒１０５は、固定筒１０３に移動可能に支持されている。
【０００４】
モータユニット１０４は、フォーカス用摺動筒１０５を駆動する超音波モータユニット
であり、固定筒１０３の外壁１０３ｂに取り付けられている。
モータユニット１０４は、ロータ、及び、これと一体で回転する連動キー１０４ａとを備えている。この連動キー１０４ａは、フォーカス用摺動筒１０５に固定された連動ピン１０５ａと係合している。この連動ピン１０５ａは、固定筒１０３に開けられたカム溝１０３ａと係合している。
これらモータユニット１０４等により、レンズ群Ｌ８は、フォーカス用摺動筒１０５と一体で光軸Ｏに沿った方向に移動され、これにより被写体距離が変更される。
この他、例えばブレ補正等のための部品が、固定筒１０３と外筒１０２との間のスペースに収納されているが、ここでは省略する。
【０００５】
レンズマウント１０１は、固定筒１０３のカメラ本体側に、ビス１２を用いて固定されている。レンズマウント１０１は、マウント接点１１４を備えている。このマウント接点１１４は、カメラ本体と電気信号の通信をする電気的接点である。
【０００６】
リジット多層基板１００は、モータユニット１０４、ブレ補正等の制御回路、及び、メインＣＰＵ等を備えた基板である。このリジット多層基板１００は、固定筒１０３と外筒１０２の間のカメラ本体に近いリング形状のスペースに、光軸Ｏと垂直に収納されているため、リング形状をしている。リジット多層基板１００は、複数の穴１００ａを有しており、これに固定筒１０３の固定突起１０３ｄが貫通し、弾性部材１０９とレンズマウント１０１を介して固定筒１０３にビス１２を用いて固定されている。
リジット多層基板１００の外形は、内周１００ｃがレンズ群Ｌ９のレンズ室外壁１０３ｅより大きく設定され、かつ、外周１００ｂが電気部品１００ｄ〜１００ｉの実装面積と、回路パターンの引き回しに必要な面積を満足するよう設定されている。
【０００７】
ところで、レンズ鏡筒は、多機能化が進む一方で、使用部品の増加等からコストが増加している。コストの低減のためには、多機種間での部品の共通化が効果的である。特に、リジット多層基板１００の共通化は、回路パターンの設計時間の削減、及び、電気部品の共通化にともなう部品コストの削減等ができるため、コストの低減の効果が大きい。
【０００８】
リング形状のリジット多層基板を使用する場合、その内外径とレンズ室外径、及び、外筒の内径との関係が設計上重要となる。また、リジット多層基板は、異なる層で、異なる機能の回路パターンが、立体的に交差することがあり、ノイズの原因となることがある。
【０００９】
そこで、リジット多層基板１００の共通化には、以下のような問題があった。
（１）撮影光学系の光学特性が優先される場合には、レンズ群Ｌ９の外径は、リジット多層基板１００の共通化のために小さくするより、光学特性のために大きくする方が優先される。このため、レンズ群Ｌ９のレンズ室１０３ｅは、リジット多層基板１００の内周１００ｃより大きく設計され、リジット多層基板１００は、共通で使用することはできない。結局、新規に内周１００ｃが大きいリジット多層基板１００を作製することになり、コスト高になるという問題があった。
また、リジット多層基板１００の内周１００ｃを大きくすることは、同時に、上述した電気部品１００ｄ〜１００ｉの実装面積等を確保するために、リジット多層基板１００の外周１００ｂを大きくすることでもある。このため、リジット多層基板１００を収納するために、外筒１０２の内壁１０２ａを大きくする必要があり、レンズ鏡筒の外径が大型になったり、重量が増加したりという問題があった。
【００１０】
（２）レンズ鏡筒の小型、軽量化が優先される場合には、レンズ群Ｌ９の外径を小さく設計できても、リジット多層基板１００は、リング形状をしているため径方向に収納スペースが必要である。このため、設計目標の達成ができないという問題があった。
【００１１】
（３）リジット多層基板１００の共通化が優先される場合には、リジット多層基板１００の内周１００ｃは、撮影光学系のレンズ群Ｌ７〜Ｌ９の外径を制約することになる。このため、光学設計の自由度が奪われ、必要な性能を確保するために高度な光学設計技術が必要となる。これは、設計時間の増大や、使用部品の増加等の原因となり、コスト高になるという問題があった。
（４）前述したノイズが問題である場合には、シールドの強化や作製、グランドを大きくする等のノイズ対策が必要である。これらは、設計時間、使用部品の増加等の原因になり、コスト高になるという問題があった。
【００１２】
一方、特許文献１には、電気部品を実装した１枚のフレキシブルプリント基板が折り曲げ部によって多角形の筒状に形成され、撮影光学系の光束の外側に設けた円筒形の台座に保持され、収納されているレンズ鏡筒が開示されている。
【００１３】
しかし、フレキシブルプリント基板は、多くても両面基板であり、回路パターンの引き回しに大きな基板面積が必要となる。このため、特許文献１に記載されたレンズ鏡筒は、大型になるという問題があった。
また、このフレキシブルプリント基板は、レンズ鏡筒への取り付けに、円筒形の台座の部品が必要なので、コスト高になるという問題があった。
【特許文献１】特許第３４０４１１７号公報
【発明の開示】
【発明が解決しようとする課題】
【００１４】
本発明の課題は、レンズ鏡筒の外径を大型化することなく、また、重量の増加をせずに、光学設計の自由度を維持しながら、多機種間でリジット多層基板の共通化をすることができ、コストの低減ができるレンズ鏡筒を提供することである。
【課題を解決するための手段】
【００１５】
本発明は、以下のような解決手段により、前記課題を解決する。なお、理解を容易にするために、本発明の実施例に対応する符号を付して説明するが、これに限定されるものではない。
請求項１の発明は、撮影光学系（レンズ群Ｌ１〜Ｌ６）の光束（Ｐ）の外側で鏡筒部材（３，２３）に固定され、機能ごとに分割された複数のリジット基板（６，７，８）と、前記複数のリジット基板（６，７，８）に設けられ、前記複数のリジット基板（６，７，８）の間を電気的に接続する接続部（１５）と、前記複数のリジット基板（６，７，８）のうち少なくとも２つのリジット基板を前記接続部（１５）を用いて接続するフレキシブルプリント基板（１３，３３）と、を備えるレンズ鏡筒である。
【００１６】
請求項２の発明は、請求項１に記載のレンズ鏡筒において、前記複数のリジット基板（６，７，８）は、四角形であること、を特徴とするレンズ鏡筒である。
請求項３の発明は、請求項１又は請求項２に記載のレンズ鏡筒において、前記リジット基板（６，７，８）の接続部（１５）は、コネクタ（１５）であること、を特徴とするレンズ鏡筒である。
請求項４の発明は、請求項１から請求項３までのいずれか１項に記載のレンズ鏡筒において、前記複数のリジット基板（６，７，８）は、面積の大きい面が光軸（Ｏ）と平行に配置されていること、を特徴とするレンズ鏡筒である。
請求項５の発明は、請求項１から請求項３までのいずれか１項に記載のレンズ鏡筒において、前記複数のリジット基板（６，７，８）は、面積の大きい面が光軸（Ｏ）と垂直に配置されていること、を特徴とするレンズ鏡筒である。
請求項６の発明は、請求項５に記載のレンズ鏡筒において、前記フレキシブルプリント基板（３３）は、光軸（Ｏ）側を内側とする曲線部を有し、前記接続部（１５）の間を結んだ形状であること、を特徴とするレンズ鏡筒である。
請求項７の発明は、請求項４に記載のレンズ鏡筒において、前記複数のリジット基板（６，７，８）は、フレキシブルプリント基板（１３）を介して一列に接続され、光軸（Ｏ）を中心とした円周方向に配置されていること、を特徴とするレンズ鏡筒である。
請求項８の発明は、請求項５又は請求項６に記載のレンズ鏡筒において、前記複数のリジット基板（６，７，８）は、光軸（Ｏ）と垂直な一平面上に配置されていること、を特徴とするレンズ鏡筒である。
【発明の効果】
【００１７】
本発明によれば、以下の効果を奏することができる。
（１）リジット基板を機能ごとに分割し、それらのリジット基板の間をフレキシブルプリント基板で接続するので、多機種間でリジット基板を共通で使用することができ、コストの低減をすることができる。また、リジット基板を分割するので、リジット基板の外形設計の自由度が広がり、面積効率のよい基板取りができ、さらなるコストの低減をすることができる。さらに、機能ごとにリジット基板を分割するので、ノイズ低減に効果があり、各機能の性能を向上させることができる。さらにまた、撮影光学系の光束の外側の空きスペースにあわせてリジット基板を配置できるので、光学設計の自由度を維持しながら、レンズ鏡筒の外径に影響を与えることなく、小型で軽量なレンズ鏡筒を設計、作製することができる。
【００１８】
（２）複数のリジット基板は、四角形であるので、さらに面積効率のよい基板取りが可能であり、コストの低減をより進めることができる。
【００１９】
（３）リジット基板の接続部は、いずれも同一形状のコネクタであるので、リジット基板を接続するフレキシブルプリント基板を同一部品とすることができ、リジット基板の共通化をより進めることができる。また、接続部は、コネクタを用いているので、リジット基板とフレキシブルプリント基板の接続作業が容易であり、さらに、製造工程の選択の幅を広げることができる。
【００２０】
（４）複数のリジット基板は、面積の大きい面が光軸と平行に配置されているので、光束の外側において、光軸の方向の配置スペースがあるが、径方向の配置スペースが小さいときにも、レンズ鏡筒にリジット基板を収納することができる。
【００２１】
（５）複数のリジット基板は、面積の大きい面が光軸と垂直に配置されているので、光束の外側において径方向の配置スペースがあるが、光軸の方向の配置スペースが小さいときにも、リジット基板を収納することができる。
【００２２】
（６）フレキシブルプリント基板は、光軸側を内側とする曲線部を有し、接続部の間を結んだ形状であるので、レンズ鏡筒の外径に影響を与えずに、リジット基板とフレキシブルプリント基板を収納することができる。また、リジット基板とフレキシブルプリント基板をレンズ鏡筒に組み込んだときに、フレキシブルプリント基板にかかるストレスを低減し、フレキシブルプリント基板の損傷を防止することができる。
【００２３】
（７）複数のリジット基板は、フレキシブルプリント基板を介して一列に接続され、光軸を中心とした円周方向に配置されているので、径方向の配置スペースがさらに小さいときにも、リジット基板を収納することができる。
【００２４】
（８）複数のリジット基板は、光軸と垂直な一平面上に配置されているので、光軸方向の配置スペースがさらに小さいときにも、リジット基板を収納することができる。
【発明を実施するための最良の形態】
【００２５】
本発明のレンズ鏡筒は、外径を大型化することなく、また、重量の増加をせずに、かつ、光学設計の自由度を維持しながら、リジット基板を共通化しコストの低減が可能なレンズ鏡筒を提供するという目的を、リジット基板を機能ごとに分割し、リジット基板とフレキシブルプリント基板を接続した基板ユニットを、固定筒の外壁と外筒の内壁の間に光軸と平行に、かつ、光軸を中心とした円周方向に配置して、ビスを用いて固定するという方法により実現した。
【実施例１】
【００２６】
以下、図面等を参照して、本発明の実施例をあげて、さらに詳しく説明する。
図１は、本発明による実施例１のレンズ鏡筒を示す縦断面図である。
図２は、図１のＸ−Ｘ部矢視断面図である。
本発明のレンズ鏡筒は、固定筒３と、この固定筒３の外側に設けられ、レンズ鏡筒の最外郭部である外筒２とを備えている。また、レンズ鏡筒は、その内部に、レンズ群Ｌ１〜Ｌ３、モータユニット４、リジット多層基板６，７，８等を備えている。
【００２７】
固定筒３は、撮影光学系の光束Ｐの外側に配置される円筒形をした鏡筒部材である。固定筒３は、その内側にレンズ群Ｌ１〜Ｌ３とフォーカス用摺動筒５とを備えている。レンズ群Ｌ１，Ｌ３は、フォーカス用摺動筒５に固定され、このフォーカス用摺動筒５は、固定筒３に移動可能に支持されている。
【００２８】
モータユニット４は、フォーカス用摺動筒５を駆動する超音波モータユニットであり、固定筒３の外壁３ａに取り付けられている。
モータユニット４は、ロータ、及び、これと一体で回転する連動キー４ａとを備えている。この連動キー４ａは、フォーカス用摺動筒５に固定された連動ピン５ａと係合している。この連動ピン５ａは、固定筒３に開けられたカム溝３ａと係合している。
これらモータユニット４等により、レンズ群Ｌ２は、フォーカス用摺動筒５と一体で光軸Ｏに沿った方向に移動し、合焦動作を行っている。
【００２９】
レンズマウント１は、固定筒３のカメラ本体側に、ビス１２を用いて固定されている。レンズマウント１は、マウント接点１４を備えている。このマウント接点１４は、カメラ本体と電気信号の通信をする電気的接点である。
【００３０】
後述する基板ユニットＣ１は、リジット多層基板６，７，８と、これらの間を２つのフレキシブルプリント基板１３を用いて電気的に接続した基板ユニットであり、図２に示すように、固定筒３と外筒２の間に収納されている。
【００３１】
リジット多層基板６，７，８は、固定筒３の外壁３ｂと外筒２の内壁２ａとの間のスペースに、その面積の大きい面（部品実装面）が光軸Ｏと平行に、かつ、光軸Ｏを中心とした円周方向に一列に配置されている。
リジット多層基板６は、ゴム質からなる絶縁部材９をリジット多層基板６と固定筒３との間に挟みこみ、また、ウェーブワッシャ１０とビス１１を用いて、固定筒３の外壁３ｂに固定されている。リジット多層基板６は、絶縁部材９により固定筒３と電気的に絶縁されている。同様にして、リジット多層基板７，８は、リジット多層基板６と異なる角度位置に固定されている。
【００３２】
図３は、平面に展開した基板ユニットＣ１を示す図である。
図４は、フレキシブルプリント基板１３を示す図である。
基板ユニットＣ１を形成するリジット多層基板６，７，８は、長方形をしており、それぞれ以下の機能を有している。
リジット多層基板６は、片側の面にモータドライバＩＣ６ａ1とこれを補助するために必要な電気部品６ａ2が実装されている。これらにより、リジット多層基板６は、モータユニット４を制御する機能を有している。
リジット多層基板７は、片側の面に振れセンサ７ａ1とブレ補正のために必要な電気部品７ａ2〜７ａ4が実装されている。これらにより、リジット多層基板７は、レンズ鏡筒の振れを感知し、ブレを補正する機構を駆動するのに必要な信号処理を行うという機能を有している。
リジット多層基板８は、片側の面にメインＣＰＵ８ａ1とこれを補助するための電気部品８ａ2が実装されている。これらにより、リジット多層基板８は、カメラ本体とマウント接点１４を介して通信する電気信号を処理し、また、リジット多層基板６によるモータユニット４を制御する機能、及び、リジット多層基板７によるブレ補正のための機能を、統括して処理する機能を有している。
【００３３】
リジット多層基板６には、モータドライバＩＣ６ａ1等が実装されている面と反対側の面に、コネクタ１５が実装されている。コネクタ１５は、リジット多層基板６，７，８の間を電気的に接続する接続部である。同様に、リジット多層基板７には、２つのコネクタ１５が、リジット多層基板８には、コネクタ１５が実装されている。フレキシブルプリント基板１３は、図４に示すように、両端部に電気的接点１３ａ，１３ｂを備えている。
リジット多層基板６のコネクタ１５とフレキシブルプリント基板１３の電気的接点１３ａとを接続し、また、リジット多層基板７のコネクタ１５とフレキシブルプリント基板１３の電気的接点１３ｂとを接続することにより、リジット多層基板６とリジット多層基板７は、電気的に接続されている。同様にして、リジット多層基板７とリジット多層基板８も電気的に接続されている。
【００３４】
本実施例のレンズ鏡筒では、部品を配置するために利用可能なスペースは、径方向に小さいが、光軸Ｏ方向に大きい。このような場合にも、リジット多層基板６，７，８は、２つのフレキシブルプリント基板１３を介して一列に接続され、光軸Ｏと平行に配置することにより、光学設計の自由度を維持しながら、レンズ鏡筒の外径を大きくすることなく、リジット多層基板６，７，８を収納することができる。
【００３５】
また、本実施例では、リジット多層基板６，７，８の形状は、長方形をしている。これにより、リジット多層基板の定尺サイズから基板取りをするときに、捨て基板等が少ない効率のよい基板取りを選択することができ、コストの低減をすることができる。
【００３６】
さらに、リジット多層基板は、モータ制御を行うリジット多層基板６、ブレ補正を行うリジット多層基板７、メインＣＰＵ８ａ1を備え統括処理を行なうリジット多層基板８とに、３つに分割されることにより、電気回路が機能ごとに分離される。これは、ノイズ干渉の低減に効果があるので、リジット多層基板６，７，８は、各機能の性能を向上することができる。
【００３７】
さらにまた、リジット多層基板６，７，８は、接続部としてコネクタ１５を備えているので、リジット多層基板６，７，８と２つのフレキシブルプリント基板１３との接続作業が容易であるとともに、製造工程の選択の幅を広げることができる。すなわち、リジット多層基板６，７，８をレンズ鏡筒に収納する場合において、基板ユニットＣ１の状態にして固定筒３に取り付けるか、あるいは、リジット多層基板６，７，８を固定筒３に取り付けた後に、フレキシブルプリント基板１３を用いてリジット多層基板６，７，８の間を接続するかを、製造上の都合にあわせて選択できる。
くわえて、部品交換が必要なときには、リジット多層基板６，７，８の全てを取り外さなくても、交換が必要な電気部品が実装されているリジット多層基板だけを取り外せばよいので、効率的、かつ、経済的である。
【実施例２】
【００３８】
図５は、本発明による実施例２のレンズ鏡筒を示す縦断面図である。
図６は、図５のＹ−Ｙ部矢視断面図である。
なお、上述した実施例１と同様の機能を果たす部分には、同一の符号を付して、重複する説明を適宜省略する。
【００３９】
本実施例のレンズ鏡筒は、固定筒２３と、この固定筒２３の外側に設けられ、レンズ鏡筒の最外郭部である外筒２２とを備えている。また、レンズ鏡筒は、その内部に、レンズ群Ｌ４〜Ｌ６、モータユニット４、リジット多層基板６，７，８等を備えている。
【００４０】
本実施例のレンズ鏡筒の撮影光学系は、実施例１の撮影光学系と比較して、撮影光学系の全長が短く、かつ、後群レンズ群であるレンズ群Ｌ６のレンズ径が、小さくなるように設計されている。そのため、部品を配置するために利用可能なスペースは、光軸Ｏ方向に小さいが、径方向に大きい。また、この径方向に利用可能なスペースは、カメラ本体に近づくほど、大きくなる性質を有している。
なお、レンズ鏡筒の大きさを参照するため、図１に実施例２のレンズ鏡筒の外形を２点鎖線Ｑで示す。
【００４１】
後述する基板ユニットＣ２は、図６に示すように、固定筒２３と外筒２２の間に収納されている。基板ユニットＣ２は、リジット多層基板６，７，８と、これらの間を２つのフレキシブルプリント基板３３を用いて電気的に接続した基板ユニットである。
【００４２】
リジット多層基板６，７，８は、固定筒２３の外壁２３ｂと外筒２２の内壁２２ａの間のスペースに、その面積の大きい面（部品実装面）が光軸Ｏと垂直に、かつ、一平面上に配置されている。この固定筒２３は、撮影光学系の光束Ｐの外側に配置される鏡筒部材である。
【００４３】
リジット多層基板６は、絶縁質からなるブラケット２９の一端側にウェーブワッシャ３０とビス３１を用いて固定されている。そして、このブラケット２９の他端側が固定筒２３にビス３２を用いて固定されている。このようにして、リジット多層基板６は、固定筒２３に取り付けられている。同様にして、リジット多層基板７は、リジット多層基板６から円周方向に９０度の位置に、リジット多層基板８は、リジット多層基板６から１８０度の位置に、ブラケット３４を介して取り付けられている。
【００４４】
図７は、基板ユニットＣ２を示す図である。
図８は、フレキシブルプリント基板３３を示す図である。
リジット多層基板６とリジット多層基板７とは、両端部に電気的接点３３ａ，３３ｂを備えたフレキシブルプリント基板３３を用いて電気的に接続されている。同様にして、リジット多層基板７とリジット多層基板８との間も、電気的に接続されている。このフレキシブルプリント基板３３の形状は、外筒２２の内壁２２ａと干渉しないように、光軸Ｏ側を内側とする円弧状をしている。
【００４５】
実施例２のレンズ鏡筒では、部品を配置するために利用可能なスペースは、光軸Ｏ方向に小さいが、径方向に大きい。このような場合にも、リジット多層基板６，７，８を光軸Ｏと垂直な一平面上に配置することにより、光学設計の自由度を維持しながら、製品全長を短くすることができる。特に本実施例のレンズ鏡筒は、カメラ本体の近くに、リジット多層基板６，７，８を配置しているので、レンズ鏡筒内の利用可能なスペースを有効に活用し、レンズ鏡筒をより小型、軽量にしている。
【００４６】
また、フレキシブルプリント基板３３の形状を、光軸Ｏ側を内側とする円弧状にしているので、レンズ鏡筒の外径に影響を与えずに基板ユニットＣ２をレンズ鏡筒に収納することができる。
さらに、２つのフレキシブルプリント基板３３は、ストレスがかかることなく配置されているので、その損傷を防止することができる。
【００４７】
さらにまた、基板ユニットＣ２は、実施例１の基板ユニットＣ１を、これに使用しているフレキシブルプリント基板１３からフレキシブルプリント基板３３に交換することにより形成される基板ユニットである。つまり、リジット多層基板６，７，８は、基板ユニットＣ１と基板ユニットＣ２とで、いずれの基板ユニットに対しても共通で使用することができるので、部品共通化によるレンズ鏡筒のコスト低減をすることができる。
【００４８】
（変形例）
以上説明した実施例に限定されることなく、種々の変形や変更が可能であって、それらも本発明の均等の範囲内である。
（１）各実施例において、基板ユニットＣ１と基板ユニットＣ２は、リジット多層基板６，７，８の全てをそれぞれ共通で用いている例を示したが、これに限らず、一部のリジット多層基板だけを共通で用いてもよい。例えば、レンズ鏡筒の仕様や配置スペースの都合から、ブレ補正の機能を有するリジット多層基板７だけを共通で用いて、他の機能のリジット多層基板を新規に作製してもよい。
【００４９】
（２）実施例１において、リジット多層基板６，７，８は、すべて光軸Ｏと平行に配置されている例を示したが、これに限らず、一部のリジット多層基板を光軸Ｏと平行に配置し、他のリジット多層基板を光軸Ｏと垂直に配置してもよい。例えば、リジット多層基板６を光軸Ｏと平行に配置し、リジット多層基板７，８を光軸Ｏと垂直に配置してもよい。また、リジット多層基板６，７，８を、固定筒３の外壁３ｂと外筒２の内壁２ａの間の任意の空きスペースに配置してもよい。
【００５０】
（３）実施例２において、リジット多層基板６，７，８は、すべて光軸Ｏと垂直に配置されている例を示したが、これに限らず、一部のリジット多層基板を光軸Ｏと平行に、他のリジット多層基板を光軸Ｏと垂直に配置してもよい。例えば、リジット多層基板６を光軸Ｏと平行に、リジット多層基板７，８を光軸Ｏと垂直に配置してもよい。さらに、固定筒２３の外壁２３ｂと外筒２２の内壁２２ａの間の任意の空きスペースに配置してもよい。
【００５１】
（４）各実施例において、リジット多層基板６，７，８の形状は、長方形である例を示したが、これに限らず、例えば、レンズ鏡筒内の配置スペースの形状に合わせて台形や平行四辺形などの四角形のリジット多層基板としてもよい。仮に、台形であれば図６のような場合に、配置のスペースを有効に使用できる。また、多角形のリジット多層基板や、一部に楕円などの曲線を含む形状のリジット多層基板としてもよい。
【００５２】
（５）実施例１において、リジット多層基板６，７，８は、光軸Ｏを中心とした円周方向に配置されている例を示したが、これに限らず、例えば、光軸Ｏと平行に一列に配置してもよい。また、リジット多層基板６，７を光軸Ｏと平行に配置し、リジット多層基板７，８を光軸Ｏを中心とした円周方向に配置してもよい。
【００５３】
（６）実施例２において、リジット多層基板６，７，８は、光軸Ｏと垂直な一平面上に配置されている例を示したが、これに限らず、例えば、光軸Ｏと平行に配置してもよい。また、リジット多層基板６，７を光軸Ｏと平行に配置し、リジット多層基板７，８を光軸Ｏと垂直な一平面上に配置してもよい。
【００５４】
（７）実施例２において、フレキシブルプリント基板３３は、円弧状をしている例を示したが、これに限らず、配置スペースに収まる形状であればよい。例えば、多角形のフレキシブルプリント基板や、一部に楕円などの曲線を含む形状のフレキシブルプリント基板でもよい。
【００５５】
（８）各実施例において、リジット多層基板６，７，８は、全て多層基板である例を示したが、これに限らず、例えば、全てリジット単層基板でもよい。また、一部のリジット基板をリジット多層基板とし、他のリジット基板をリジット単層基板としてもよい。
【００５６】
（９）各実施例において、リジット多層基板６，７，８に設けられた電気的に接続する接続部は、いずれも同一形状のコネクタ１５である例を示したが、これに限らず、例えば、一部、又は、全てのコネクタを別形状としてもよい。
【００５７】
（１０）各実施例において、リジット多層基板６，７，８に設けられた電気的に接続する接続部は、全てコネクタ１５である例を示したが、これに限らず、例えば、リジット多層基板６，７，８に接続部として半田ランドを設け、これとフレキシブルプリント基板とを半田付けにより接続してもよい。また、リジット多層基板６，７，８に接続部の一部に半田ランドを設け、これとフレキシブルプリント基板とを半田付けにより接続してもよい。
【００５８】
（１１）各実施例において、フレキシブルプリント基板１３，３３の接続部は、電気的接点１３ａ，１３ｂ，３３ａ，３３ｂである例を示したが、これに限らず、例えば、接続部は、コネクタでもよい。また、フレキシブルプリント基板１３，３３の一端を電気的接点とし、他の一端をコネクタとしもよい。
【図面の簡単な説明】
【００５９】
【図１】本発明の実施例１におけるレンズ鏡筒の縦断面図である。
【図２】本発明の実施例１におけるレンズ鏡筒のＸ−Ｘ部矢視断面図である。
【図３】本発明の実施例１におけるリジット多層基板とフレキシブルプリント基板の接続時の展開図である。
【図４】本発明の実施例１におけるフレキシブルプリント基板の平面図である。
【図５】本発明の実施例２におけるレンズ鏡筒の縦断面図である。
【図６】本発明の実施例２におけるレンズ鏡筒のＹ−Ｙ部矢視断面図である。
【図７】本発明の実施例２におけるリジット多層基板とフレキシブルプリント基板の接続時の平面図である。
【図８】本発明の実施例２におけるフレキシブルプリント基板の平面図である。
【図９】従来のレンズ鏡筒の縦断面図である。
【図１０】図９のＺ−Ｚ部矢視断面図である。
【符号の説明】
【００６０】
１，２１，１０１  レンズマウント
２，２２，１０２  外筒
２ａ，２２ａ，１０２ａ  外筒の内壁
３，２３，１０３  固定筒
３ａ，２３ａ，１０３ａ  カム溝
３ｂ，２３ｂ，１０３ｂ  固定筒の外壁
４，１０４  モータユニット
４ａ，１０４ａ  連動キー
５，２５，１０５  フォーカス用摺動筒
５ａ，２５ａ，１０５ａ  連動ピン
６，７，８，１００  リジット多層基板
６ａ1  モータドライバＩＣ
７ａ1  振れセンサ
８ａ1  メインＣＰＵ
６ａ2，７ａ2〜７ａ4，８ａ2，１００ｄ〜１００ｈ  電気部品
９  絶縁部材
１０，３０  ウェーブワッシャ
１１，１２，３１，３２  ビス
１３，３３  フレキシブルプリント基板
１３ａ，１３ｂ，３３ａ，３３ｂ  電気的接点
１４，１１４  マウント接点
１５  コネクタ
２９，３４  ブラケット
１００ａ  リジット多層基板の穴
１００ｂ  リジット多層基板の外周
１００ｃ  リジット多層基板の内周
１０３ｄ  固定突起
１０３ｅ  レンズ群Ｌ９のレンズ室外壁
１０９  弾性部材
Ｃ１，Ｃ２  基板ユニット
Ｌ１〜Ｌ９  レンズ群
Ｏ  光軸
Ｐ  光束
Ｑ  外筒２２の外形
【図１】
2006071953.tif 000003
【図２】
2006071953.tif 000004
【図３】
2006071953.tif 000005
【図４】
2006071953.tif 000006
【図５】
2006071953.tif 000007
【図６】
2006071953.tif 000008
【図７】
2006071953.tif 000009
【図８】
2006071953.tif 000010
【図９】
2006071953.tif 000011
【図１０】
2006071953.tif 000012